(57)【要約】【課題】  装着者が前傾した姿勢を取ったときの装着者の身体への負担を可及的に低減することができる呼吸器背負具を提供する。【解決手段】  呼吸器背負具１０は、人体の背中に装着して用いられ、圧力容器２が着脱可能に取付けられる板状の背板１１であって、人体の背中に装着されたときに、該背中の上部に臨んで配置される上端部１１ａと、該背中の下部に臨んで配置される下端部１１ｃとを有する背板１１と、可撓性を有し、背板１１に設けられる板ばね部２６であって、長手方向の一端部２６ａが背板１１に連なり、背板１１の上端部１１ａから下端部１１ｃに向かう方向に延びるように設けられる板ばね部２６と、背板１１に取付けられる両端部を有し、人体の肩部に装着して用いられる一対の背負バンド１２と、板ばね部２６における長手方向の他端部２６ｂに取付けられ、人体の腰部に装着して用いられる腰ベルト１３とを含む。【選択図】      図１
2013138732.tif 000002
【特許請求の範囲】
【請求項１】
圧力容器が着脱可能に取付けられる板状の背板であって、長手方向の一端部が頭部側に配置され、長手方向の他端部が脚部側に配置されるように、背中に装着して用いられる背板と、
可撓性を有し、前記背板に設けられる長尺の板状体であって、長手方向の一方側に基部を有し、長手方向の他方側に遊端部を有し、前記基部において背板に連なり、前記遊端部が前記基部よりも前記背板の他端部側に配置されるように設けられる板状体と、
前記背板に取付けられる両端部を有し、肩部に装着して用いられる一対の背負帯と、
前記板状体の遊端部に取付けられ、腰部に装着して用いられる腰帯とを含むことを特徴とする背負具。
【請求項２】
前記板状体は、板ばねであることを特徴とする請求項１記載の背負具。
【請求項３】
前記背板には、前記一対の背負帯を取付可能な背負帯取付け部が複数設けられていることを特徴とする請求項１または２記載の背負具。
【請求項４】
前記板状体には、前記腰帯を取付可能な腰帯取付け部が複数設けられていることを特徴とする請求項１〜３のいずれか１つに記載の背負具。
【請求項５】
前記背板の他端部に固定され、前記背板に取り付けられた圧力容器を、前記背板の一端部から他端部に向かう方向に支持する支持体をさらに備え、
前記支持体は、圧力容器を支持する支持部と、支持部に連なり、前記背板から離反する方向に延設される保護部とを含むことを特徴とする請求項１〜４のいずれか１つに記載の背負具。
【請求項６】
前記背板に設けられ、圧力容器に充填される気体を導く流路を規定する管状部材を保持可能な保持片をさらに備え、
前記保持片は、前記背板の面方向外方に開放するように設けられていることを特徴とする請求項１〜５のいずれか１つに記載の背負具。
【発明の詳細な説明】
【技術分野】
【０００１】
本発明は、背負具に関し、特に圧力容器内の吸気ガスを吸気管および面体を介して口または鼻に導くように構成される呼吸器を背負うために用いられる背負具に関する。
【背景技術】
【０００２】
呼吸器背負具に関する典型的な先行技術は、特許文献１に開示されている。図６は、先行技術に係る呼吸器背負具１００の構成を示す平面図である。呼吸器背負具１００は、空気または酸素などの吸気ガスが内部に圧縮充填された圧力容器１０１と、顔面に装着され、吸気管を介して圧力容器１０１から供給される吸気ガスを口または鼻に導く面体とを含んで構成される呼吸器を背負うために用いられる器具であり、主として消防現場や救助現場などにおいて使用される。
【０００３】
呼吸器背負具１００は、図６に示すように、圧力容器１０１を支持するのに十分な剛性を有し、圧力容器１０１が着脱可能に取付けられる背板１０２と、背板１０２に設けられ、装着者の肩部および胸部に装着される一対の背負バンド１０３と、背板１０２に設けられ、装着者の腹部に装着される腰ベルト１０４と、背板１０２の下部１０２ｃに固定され、背板１０２に取付けられた圧力容器１０１を、使用状態において重力方向に支持するとともに、背板１０２に取付けられた圧力容器１０１を自立させることができるように構成された支持体１０５とを含んで構成される。
【０００４】
背板１０２は、装着者の肩部から腰部にかけて延び、直立姿勢のときの人体の背中に適合するような立体的な形状に形成されている。各背負バンド１０３は、長尺の帯状の部材であり、その一端部が、背板１０２の上部１０２ｂに連結されるとともに、他端部が背板１０２の下部１０２ｃに連結される。また、各背負バンド１０３は、その長手方向の中央部に、装着者の胸部の位置で締めるように設けられた胸ベルト１０３ａをそれぞれ有している。
【０００５】
腰ベルト１０４は、装着者の腰部に巻くのに十分な長さを有する帯状の部材である。図６に示すように、背板１０２には、その下部１０２ｃにおける左右両端部に、腰ベルト１０４を挿通可能な挿通孔１０２ａが厚み方向に貫通して形成され、腰ベルト１０４は、その２つの挿通孔１０２ａに挿通することによって、背板１０２の下部１０２ｃに取付けられている。
【０００６】
より詳細には、腰ベルト１０４は、２つの挿通孔１０２ａ間にわたって、背板１０２における圧力容器１０１を支持する側の表面１０２ｄを被覆するように、背板１０２の下部１０２ｃに取付けられている。
【０００７】
このような構成を有する呼吸器背負具１００は、一対の背負バンド１０３を両肩部にそれぞれ掛け、胸部の位置で各背負バンド１０３に設けられる胸ベルト１０３ａを締めるとともに、背板１０２の下部１０２ｃに設けられる腰ベルト１０４を腰部に巻き、腹部の位置で締めることによって、背板１０２を背中にフィットさせた状態で装着される。
【０００８】
この先行技術に係る呼吸器背負具１００を用いると、直立姿勢すなわち背中が伸びた姿勢で作業を行う場合には、装着者の身体にかかる負担は少ない。しかしながら、装着者が前傾した姿勢すなわち背中を丸めたような姿勢を取ると、装着者の肩部と背板１０２の上部１０２ｂとが密着した状態で、装着者の腰部と背板１０２の下部１０２ｃとが互いに離反しようとする。ところが、背板１０２は、前記のように高い剛性を有し、背中の丸みに追随して変形できるようには構成されていないので、腰ベルト１０４によって装着者の腹部が圧迫されてしまうという問題がある。このように、先行技術に係る呼吸器背負具１００を用いると、特に装着者が前傾した姿勢を取った場合に、装着者の身体への負担が大きくなってしまうという問題がある。
【先行技術文献】
【特許文献】
【０００９】
【特許文献１】特開平１１−１１４０７９号公報
【発明の概要】
【発明が解決しようとする課題】
【００１０】
本発明の目的は、装着者が前傾した姿勢を取ったときの装着者の身体への負担を可及的に低減することができる呼吸器背負具を提供することである。
【課題を解決するための手段】
【００１１】
本発明は、圧力容器が着脱可能に取付けられる板状の背板であって、長手方向の一端部が頭部側に配置され、長手方向の他端部が脚部側に配置されるように、背中に装着して用いられる背板と、
可撓性を有し、前記背板に設けられる長尺の板状体であって、長手方向の一方側に基部を有し、長手方向の他方側に遊端部を有し、前記基部において背板に連なり、前記遊端部が前記基部よりも前記背板の他端部側に配置されるように設けられる板状体と、
前記背板に取付けられる両端部を有し、肩部に装着して用いられる一対の背負帯と、
前記板状体の遊端部に取付けられ、腰部に装着して用いられる腰帯とを含むことを特徴とする背負具である。
【００１２】
また本発明は、前記板状体は、板ばねであることを特徴とする。
また本発明は、前記背板には、前記一対の背負帯を取付可能な背負帯取付け部が複数設けられていることを特徴とする。
【００１３】
また本発明は、前記板状体には、前記腰帯を取付可能な腰帯取付け部が複数設けられていることを特徴とする。
【００１４】
また本発明は、前記背板の他端部に固定され、前記背板に取り付けられた圧力容器を、前記背板の一端部から他端部に向かう方向に支持する支持体をさらに備え、
前記支持体は、圧力容器を支持する支持部と、支持部に連なり、前記背板から離反する方向に延設される保護部とを含むことを特徴とする。
【００１５】
また本発明は、前記背板に設けられ、圧力容器に充填される気体を導く流路を規定する管状部材を保持可能な保持片をさらに備え、
前記保持片は、前記背板の面方向外方に開放するように設けられていることを特徴とする。
【発明の効果】
【００１６】
本発明によれば、腰ベルトが、圧力容器を支持するのに十分な剛性を有する背板において、可撓性を有する板状体に固定して設けられている。したがって、呼吸器背負具を装着した装着者が、前傾した姿勢すなわち背中を丸めたような姿勢を取ったとしても、背中の丸みに追従して板状体が変形するので、腰ベルトによって装着者の腹部が圧迫されることを防止することができ、装着者の身体への負担を可及的に低減することができる。
【図面の簡単な説明】
【００１７】
【図１】本発明の一実施形態に係る呼吸器背負具１０の構成を示す平面図である。
【図２】図１における呼吸器背負具１０に呼吸器１が搭載された状態を示す図である。
【図３】図１における切断面線ＩＩＩ−ＩＩＩから見た断面図である。
【図４】本実施形態に係る呼吸器背負具１０に備えられる支持体１４を上方Ｚ１から見た図である。
【図５】図２における切断面線Ｖ−Ｖから見た断面図である。
【図６】先行技術に係る呼吸器背負具１００の構成を示す平面図である。
【発明を実施するための形態】
【００１８】
図１は、本発明の一実施形態に係る呼吸器背負具１０の構成を示す平面図である。図２は、図１における呼吸器背負具１０に呼吸器１が搭載された状態を示す図である。本実施形態に係る呼吸器背負具１０は、呼吸器１を人体に装着するために用いられる器具であり、主として消防現場や救助現場などにおいて使用される。
【００１９】
呼吸器１は、図２に示すように、大略的に円筒状に形成され、その軸線方向一端部が閉塞し、かつ他端が開口し、空気または酸素などの吸気ガスが内部に圧縮充填される圧力容器２と、装着者の鼻および口を覆うマスクである面体３と、圧力容器２の開口を開閉する開閉弁である容器弁４と、容器弁４に直結され、容器弁４を介して圧力容器２から流出した吸気ガスの圧力を所定の圧力に減圧する圧力制御弁である減圧弁５と、一端部が減圧弁５に連結され、減圧弁５によって減圧された吸気ガスを面体３へ導くための流路を規定する吸気管６と、面体３に連結されるとともに吸気管６の他端部が連結され、装着者の吸気動作に応じて装着者に気体を導くための肺力弁であるデマンド弁７とを含んで構成される。このような呼吸器１は、有害ガスの存在する可能性のある場所で作業する場合に装着される。
【００２０】
呼吸器背負具１０は、主な構成として、板状に形成され、圧力容器２が着脱可能に取付けられる背板１１と、背板１１に取付けられる一対の背負バンド１２と、背板１１に取付けられる腰ベルト１３と、背板１０２に取付けられた圧力容器１０１を、使用状態において重力方向に支持する支持体１４とを含んで構成される。
【００２１】
背板１１は、装着者の肩部から腰部にかけて延び、直立姿勢のときの人体の背中に適合するような立体的な形状に形成された板状の部材である。ここで、背板１１において、人体に装着されたときに、人体の脚部から頭部に向かう方向に対応する方向を上方Ｚ１と規定し、人体の頭部から脚部に向かう方向に対応する方向を下方Ｚ２と規定し、上方Ｚ１および下方Ｚ２を合わせて高さ方向Ｚと称する。
【００２２】
また、背板１１において、人体に装着されたときに、人体の左右方向に対応する方向を幅方向Ｘと規定し、高さ方向Ｚおよび幅方向Ｘのいずれにも垂直な方向を厚み方向Ｙと規定する。
【００２３】
背板１１は、厚み方向Ｙに垂直な形状が略台形状に形成され、詳細には、下方Ｚ２の部分１１ｃ（以下、「下端部１１ｃ」という）が上方Ｚ１の部分１１ａ（以下、「上端部１１ａ」という）よりも幅方向Ｘに広くなるような形状に形成される。背板１１は、その周縁部を筒状に湾曲させて構成され、圧力容器２を支持するのに十分な剛性を備えている。ここで、背板１１の上端部１１ａは、背板１１が背負われたときに、背中の上部（肩部付近）に臨んで配置される部分であり、長手方向の一端部に相当する。また、背板１１の下端部１１ｃは、背板１１が背負われたときに、背中の下部（腰部付近）に臨んで配置される部分であり、長手方向の他端部に相当する。
【００２４】
圧力容器２は、図２に示すように、背板１１における厚み方向Ｙの一方側の表面１１ｄに取付けられ、詳細には、その軸線方向が高さ方向Ｚに一致し、かつ、その開口が下方Ｚ２に臨むように取付けられる。
【００２５】
背板１１の上端部１１ａと下端部１１ｃとの間の中央部１１ｂにおける前記表面１１ｄには、圧力容器２を背板１１に対して間をあけて支持するための複数のゴム製のスペーサ２１が設けられるとともに、圧力容器２が背板１１から離反しないように固定するための容器用ベルト２２およびベルト固定部２３が設けられる。
【００２６】
背板１１の上端部１１ａには、各背負バンド１２における一端部を取付けるために形成された幅方向Ｘに並ぶ一対の貫通孔２４が複数組設けられている。本実施形態では、図１に示すように、背板１１の高さ方向Ｚに沿って、一対の貫通孔２４が２組設けられている。一対の貫通孔２４の数は、これに限らず、３組以上であってもよい。
【００２７】
各背負バンド１２は、可撓性を有する長尺の帯状部材であり、その長手方向の一端部は、背板１１の上端部１１ａに取付けられ、その長手方向の他端部は、背板１１の下端部１１ｃに取付けられる。背板１１の下端部１１ｃにおける幅方向Ｘの両端部には、各背負バンド１２における他端部を取付けるために形成された一対の貫通孔２５が設けられている。
【００２８】
各背負バンド１２は、その両端部が背板１１に取り付けられたときに、背負バンド１２と背板１１との間に腕を通すことが可能な長さに形成されている。また、各背負バンド１２は、その長手方向の中央部に、装着者の胸部の位置で締めるように設けられた胸ベルト１２ａをそれぞれ有している。
【００２９】
呼吸器背負具１０を装着しようとする者は、両腕を各背負バンド１２と背板１１との間に挿入し、各背負バンド１２を両肩に掛けることで、背板１１を背負い、さらに胸の位置で胸ベルト１２ａを締めることによって、背板１１を背中に密着させて、呼吸器背負具１０を装着することができる。
【００３０】
本実施形態に係る呼吸器背負具１０では、前記のように、背板１１の上端部１１ａに、幅方向Ｘに並ぶ一対の貫通孔２４が複数組設けられているので、呼吸器背負具１０を装着しようとする者の体格に合わせて、背負バンド１２の一端部を取付ける位置を、背板１１の高さ方向Ｚに適宜変更することができる。これにより、呼吸器背負具１０を装着したときに、背板１１を装着者の背中に確実にフィットさせることができる。
【００３１】
図３は、図１における切断面線ＩＩＩ−ＩＩＩから見た断面図である。本実施形態に係る呼吸器背負具１０では、背板１１の幅方向Ｘの中央において、高さ方向Ｚの中央部１１ｂから下端部１１ｃにわたって延びるように、板ばね部２６が設けられている。腰ベルト１３は、装着者の腰部に巻き付け可能な長さに形成された可撓性を有する帯状部材であり、この板ばね部２６に連結されて設けられる。
【００３２】
板ばね部２６は、図１に示すように、背板１１の中央部１１ｂから下端部１１ｃにわたる部分を一部切り欠くことによって形成された弾性を有する長尺の板状体であり、その基部２６ａにおいて、背板１１の中央部１１ｂに一体的に連なり、基部２６ａから下方Ｚ２に向かって延設されている。板ばね部２６は、その周囲の背板１１に比べて曲げ剛性が低くなるように形成され、図３に示すように、板ばね部２６における下方Ｚ２側の端部である遊端部２６ｂは、厚み方向Ｙに荷重が負荷されると、基部２６ａに対して、厚み方向Ｙに角変位可能である。
【００３３】
腰ベルト１３は、この板ばね部２６における遊端部２６ｂに、たとえばボルトなどを用いて締結固定される。板ばね部２６の遊端部２６ｂには、図１に示すように、腰ベルト１３を締結固定するために用いられるボルトの軸部を挿通可能な孔２６ｃが、背板１１の高さ方向Ｚに沿って複数形成されており、腰ベルト１３は、高さ方向Ｚにおける位置を適宜選択して、この遊端部２６ｂに締結固定される。
【００３４】
呼吸器背負具１０を装着しようとする者は、前記のように各背負バンド１２を身体に装着するとともに、板ばね部２６に固定された腰ベルト１３を腰部に巻き、腹部の位置で締めることによって、呼吸器背負具１０を装着する。
【００３５】
本実施形態に係る呼吸器背負具１０では、腰ベルト１３が、圧力容器２を支持するのに十分な剛性を有する背板１１において、可撓性を有する板ばね部２６に固定して設けられている。したがって、呼吸器背負具１０を装着した装着者が、前傾した姿勢すなわち背中を丸めたような姿勢を取ったとしても、背中の丸みに追従して板ばね部２６が変形するので、腰ベルト１３によって装着者の腹部が圧迫されることを防止することができ、装着者の身体への負担を可及的に低減することができる。
【００３６】
また、板ばね部２６は、弾性を有するように構成されているので、装着者は、前傾した姿勢から直立姿勢への姿勢の復帰を、板ばね部２６の弾性回復力によってスムーズに行うことができる。また、板ばね部２６の弾性回復力によって、背板１１の下端部１１ｃを、装着者の腰部にフィットさせることができる。
【００３７】
また本実施形態に係る呼吸器背負具１０では、前記のように、板ばね部２６への腰ベルト１３の取付位置を、背板１１の高さ方向Ｚに適宜変更することができるように構成されているので、呼吸器背負具１０を装着しようとする者の体格に合わせて取付位置を変更することにより、背板１１を装着者の背中に確実にフィットさせることができる。
【００３８】
本実施形態に係る呼吸器背負具１０では、板ばね部２６は、背板１１の一部を切り欠くことによって構成されているが、他の実施形態では、背板１１の圧力容器２が取付けられる側の表面１１ｄとは反対側の表面に、金属材料から成る短冊状の板状部材を、その長手方向の一端部において背板１１に固定し、一端部から下方Ｚ２に向かって延びるように設けることによって構成されてもよい。このように構成された板ばね部に腰ベルト１３を取付けた場合であっても、上記の実施形態と同様の効果を奏する。
【００３９】
図４は、本実施形態に係る呼吸器背負具１０に備えられる支持体１４を上方Ｚ１から見た図である。支持体１４は、金属材料から成り、図１に示すように、背板１１の下端部１１ｃに溶接などの方法で固定される。
【００４０】
支持体１４は、背板１１の下方Ｚ２に延びるように設けられる一対の脚部１４ａと、大略的にＵ字状に形成され、その両端部が各脚部１４ａの下端部にそれぞれ連なり、高さ方向Ｚに垂直な平面に沿って設けられる台座部１４ｂと、各脚部１４ａの上端部にそれぞれ連なり、背板１１に取付けられた圧力容器２の開口付近を支持するように設けられる一対の支持部１４ｃと、各支持部１４ｃに連なり、背板１１の表面１１ｄから離反する方向に延設される保護部１４ｄとを含んで構成される。
【００４１】
呼吸器背負具１０に呼吸器１が搭載された状態では、図２に示すように、圧力容器２の開口付近が支持部１４ｃに当接することにより、圧力容器２が支持体１４によって下方Ｚ２に支持される。この状態で、台座部１４ｂを地面など平坦な面に載置することにより、呼吸器１を自立させることができる。
【００４２】
また、支持体１４における保護部１４ｄは、圧力容器２の開口に設けられる容器弁４を囲うように設けられるので、呼吸器１が搭載された呼吸器背負具１０を背負った状態で作業を行う際に、容器弁４が周囲の物体に接触することを可及的に防止することができる。これにより、容器弁４が破損したり、容器弁４が不所望に閉塞したりすることを防止することができる。
【００４３】
本実施形態では、支持体１４は、容器弁４のみを保護するように構成されているが、他の実施形態では、支持体１４の大きさを変更することにより、容器弁４および減圧弁５を保護するように構成されてもよい。
【００４４】
図５は、図２における切断面線Ｖ−Ｖから見た断面図である。本実施形態に係る呼吸器背負具１０には、背板１１の中央部１１ｂにおける表面１１ｄに、呼吸器１に設けられる吸気管６や不図示のケーブルを保持するための保持片２７がさらに設けられている。
【００４５】
保持片２７は、弾性材料から成る部材であり、高さ方向Ｚに延びるように背板１１の表面１１ｄに立設される板状の立上り部２７ａと、立上り部２７ａの上端部に連なり、背板１１の幅方向Ｘ外方に向かって延設される板状の保持部２７ｂとを有し、大略的にＬ字状に形成されている。
【００４６】
図５に示すように、保持片２７は、幅方向Ｘ外方に開放するように背板１１に設けられ、開放端側から、保持されるべき吸気管６などが挿し込まれるように構成されている。保持片２７に挿し込まれた吸気管６は、保持部２７ｂによって弾発的に押圧された状態で、保持部２７ｂと背板１１とによって挟持される。
【００４７】
本実施形態に係る呼吸器背負具１０では、呼吸器１に設けられる吸気管６などを保持するための保持片２７が、背板１１の幅方向Ｘ外方に向かって開放するように背板１１に設けられているので、呼吸器背負具１０によって呼吸器１を背負った装着者が、呼吸器背負具１０を装着したままでは侵入することのできないような狭隘路で作業を行う必要が生じた場合に、呼吸器背負具１０から容易に呼吸器１を取り外すことができる。
【符号の説明】
【００４８】
１  呼吸器
２  圧力容器
４  容器弁
５  減圧弁
６  吸気管
１０  呼吸器背負具
１１  背板
１２  背負バンド
１３  腰ベルト
１４  支持体
２６  板ばね部
【図１】
2013138732.tif 000003
【図２】
2013138732.tif 000004
【図３】
2013138732.tif 000005
【図４】
2013138732.tif 000006
【図５】
2013138732.tif 000007
【図６】
2013138732.tif 000008